(57)【要約】【課題】スプールの制動調整用に３つ以上の操作部を持ちながら、誤操作を発生させ難く、操作部に余計な外力が加わり難い魚釣用リールを提供すること。【解決手段】魚釣用リール１０のリール本体１２は、左右のフレーム１４ａ，１４ｂと、左右のフレームの一方に配設されたハンドル３０と、左右のフレームにそれぞれ配設された側板１６ａ，１６ｂと、側板間に回転自在に支持されたスプール２１とを有し、スプールの回転制動力を調整可能である。リール本体は、スプールにそれぞれ異なる性能の回転制動力を与えるための少なくとも３つの操作部５７，１５０，１８４を有する。左右のフレーム間、および、反ハンドル側の側板１６ｂの外面部７２とは異なる位置に各操作部を配設し、操作部を前記リール本体の外部から操作可能とした。【選択図】    図２
2011072266.tif 000002
【特許請求の範囲】
【請求項１】
左右のフレームと、前記左右のフレームの一方に配設されたハンドルと、前記左右のフレームにそれぞれ配設された側板と、前記側板間に回転自在に支持されたスプールとを有するリール本体を具備し、前記スプールの回転制動力を調整可能な魚釣用リールであって、
前記リール本体は、前記スプールにそれぞれ異なる性能の回転制動力を与えるための少なくとも３つの操作部を有し、
前記左右のフレーム間、および、前記ハンドルが設けられた側板に対して反対側の側板の外面部とは異なる位置に各操作部を配設し、前記操作部を前記リール本体の外部から操作可能としたことを特徴とする魚釣用リール。
【請求項２】
前記ハンドルに対して反対側の側板には、凹部が形成され、
前記操作部の少なくとも１つが前記凹部に対して突出することなく、前記凹部を通して操作可能であることを特徴とする請求項１に記載の魚釣用リール。
【請求項３】
前記操作部の少なくとも１つが前記ハンドルに対して反対側の側板の下部に設けられていることを特徴とする請求項１もしくは請求項２に記載の魚釣用リール。
【発明の詳細な説明】
【技術分野】
【０００１】
この発明は、スプールを制動可能な制動装置を有する魚釣用リールに関する。
【背景技術】
【０００２】
例えば特許文献１や特許文献２には、複数のスプールの制動調整用の操作部を有する魚釣用リールが開示されている。  
特許文献１や特許文献２では、それぞれスプールの制動装置が機械式と磁気式の２つ設けられている。特許文献１の機械式制動装置の操作部はハンドルに隣接した位置で、ハンドル軸よりも後側にある。磁気式制動装置の操作部は側板上と本体フレーム間のスプール後部側にある。すなわち、磁気式制動装置の操作部は２つある。すなわち、特許文献１においては３つの制動用操作部がある。  
特許文献２の磁気式制動装置は２種類の異なる調整機能を有し、一方の操作部の制動特性は広範囲に、他方の操作部の制動特性は微細（一方の操作部の制動特性よりも小範囲）に調整が可能となっている。機械式制動装置の操作部はハンドルに隣接した位置で、ハンドル軸よりも後側にある。すなわち、特許文献２においても３つの制動用操作部がある。
【先行技術文献】
【特許文献】
【０００３】
【特許文献１】実公昭６１−４０８７８号公報
【特許文献２】特開２００９−２７９７５号公報
【発明の概要】
【発明が解決しようとする課題】
【０００４】
特許文献１や特許文献２のように、スプールの制動調整用の操作部の数が多くなるにつれて、仕掛けの投入や仕掛け投入前後の握り替え（例えば右手から左手、又は、左手から右手）、また、アクションを付けた巻取り等の際、手などの身体の一部がスプールの制動調整用の操作部に触れて誤操作が生じ易くなる。また、操作部の数が増加するにつれてリールの構造がより複雑化、精密化するので、リールの落下など、操作部に外力が加わったときに性能低下や破損し易い。  
さらに、特許文献１や特許文献２の操作部のうち、ハンドルと反対側の側板の外表面に対して突出状態に形成されているので制動調整用の操作部に糸が絡んだり、汚れが付着し易い。  
この発明は、スプールの制動調整用に３つ以上の操作部を持ちながら、誤操作を発生させ難く、操作部に余計な外力が加わり難い魚釣用リールを提供することを目的とする。
【課題を解決するための手段】
【０００５】
上記課題を解決するために、この発明に係る魚釣用リールは、左右のフレームと、前記左右のフレームの一方に配設されたハンドルと、前記左右のフレームに配設された側板と、前記側板間に回転自在に支持されたスプールとを有するリール本体を具備し、前記スプールの回転制動力を調整可能である。そして、前記リール本体は、前記スプールにそれぞれ異なる性能の回転制動力を与えるための少なくとも３つの操作部を有し、前記左右のフレーム間、および、前記ハンドルが設けられた側板に対して反対側の側板の外面部とは異なる位置に各操作部を配設し、前記操作部を前記リール本体の外部から操作可能としたことを特徴とする。  
また、前記ハンドルに対して反対側の側板には、凹部が形成され、前記操作部の少なくとも１つが前記凹部に対して突出することなく、前記凹部を通して操作可能であることが好適である。  
また、前記操作部の少なくとも１つが前記ハンドルに対して反対側の側板の下部に設けられていることが好適である。
【発明の効果】
【０００６】
少なくとも３つといった多くの操作部を有しながら、仕掛けの投入（キャスティング）、釣糸の巻取り時におけるサミング操作の際の親指可動位置、及び、釣竿と魚釣用リールとを持つ手の接触位置を除く位置に配した全ての操作部を外部から調整可能である。このように、操作部を外部から調整可能であるため、スプールに与えられる制動力の調整がし易い上、３つ以上のブレーキ特性の異なるスプール制動調整を釣り場の様々な条件（状況）に対応すべく、左右のフレーム間、および、ハンドルが設けられた側板に対して反対側の側板の外面部とは異なる位置にある操作部を外部操作で容易かつ迅速に操作してスプールの回転制動力を調整することができる。また、各操作部を左右のフレーム間、および、ハンドルが設けられた側板に対して反対側の側板の外面部とは異なる位置（釣り人が通常触れている位置以外の位置）に配設したので、操作部に余計な外力が加わり難く性能低下や破損も発生し難く、また、制動調整用の操作部に糸が絡んだりするのを防止することができる。  
釣竿とリールを握る際、側板の外面部に突出することなく凹部内に操作部が配置されているので、その握った手で誤操作が発生し難い上、リールの落下などの際に外部から外力が加わり難く、性能低下、破損を発生し難くすることができる。また、把持保持性（フィット感）を良好にすることができる。さらに、操作部が側板の凹部内に操作部が配置されているので、操作部に汚れが付着し難く、釣糸が操作部に絡んだりするのを防止することができる。  
釣竿とリールを握ったときに側板の下部はデッドスペースになるため、操作部が手に触れる回数が少ないので汚れが付着し難く、操作部を突出させても誤操作を発生し難くすることができる。特に、スプール軸よりも前側に操作部が設けられていると、より確実なデッドスペースに操作部を配置することができる。このため、誤操作をより確実に防止することができる。
【図面の簡単な説明】
【０００７】
【図１】第１実施形態に係る、釣竿に魚釣用リールを取り付けた釣具を示し、左手で釣竿および魚釣用リールを保持し、右手でハンドルのツマミを保持した状態を示す概略的な上面図。
【図２】第１実施形態に係る、釣竿に魚釣用リールを取り付けた釣具を示し、左手で釣竿および魚釣用リールを保持した状態を示す概略的な正面図。
【図３】第１実施形態に係る、釣竿に魚釣用リールを取り付けた釣具を示し、左手で釣竿および魚釣用リールを保持した状態を示す概略的な左側面図。
【図４】第１実施形態に係る魚釣用リールの左フレームから左側板および制動装置を取り外した状態を示す概略図。
【図５】第１実施形態に係る魚釣用リールを示し、図３中のＶ−Ｖ線に沿う概略的な部分横断面図。
【図６】第１実施形態に係る魚釣用リールの図５中の矢印ＶＩで示す部分に加えてセットスクリュウに近接する側を示す概略的な拡大図。
【図７】（Ａ）は第１実施形態に係る魚釣用リールの左フレームから左側板を取り外した状態を示す概略図、（Ｂ）は左フレームから取り外した制動装置を示す概略図。
【図８】第１実施形態に係る魚釣用リールの左フレームから取り外した左側板を示し、（Ａ）は表面側を示す概略図、（Ｂ）は裏面側を示す概略図。
【図９】第１実施形態に係る魚釣用リールのうち、ハンドルが取り付けられた側と反対側から観察した状態を示し、図１および図２中の矢印ＩＩＩ方向から見た概略図。
【図１０】第１実施形態に係る魚釣用リールの制動装置の第１調整部を示し、（Ａ）は正面図、（Ｂ）は背面図、（Ｃ）は図１０（Ａ）中の１０Ｃ−１０Ｃ線に沿う縦断面図、（Ｄ）は図１０（Ａ）中の１０Ｄ−１０Ｄ線に沿う縦断面図。
【図１１】第１実施形態に係る魚釣用リールのうち、ハンドルが取り付けられた側と反対側から観察した状態を示し、かつ、左側板及び制動装置の第１調整部を取り外した状態を示す概略図。
【図１２】第１実施形態に係る魚釣用リールのうち、ハンドルが取り付けられた側と反対側から観察した状態を図１１中のＸＩＩ−ＸＩＩに沿って観察した状態を示す概略図。
【図１３】第１実施形態に係る魚釣用リールのうち、ハンドルが取り付けられた側と反対側から制動装置の制動部を観察した状態を示し、（Ａ）は第１調整部の内側突状部を図１２中の第１の段部に配置した状態を示す概略図、（Ｂ）は第１調整部の内側突状部を図１２中の第２の段部に配置した状態を示す概略図、（Ｃ）は第１調整部の内側突状部を図１２中の第３の段部に配置した状態を示す概略図。
【図１４】第１実施形態に係る魚釣用リールのうち、制動装置の制動部の概略的な横断面を示し、（Ａ）は第１調整部の内側突状部を図１２中の第１の段部に配置した状態に対応した図１３（Ａ）の１４Ａ−１４Ａ線に沿う概略図、（Ｂ）は第１調整部の内側突状部を図１２中の第２の段部に配置した状態に対応した図１３（Ｂ）の１４Ｂ−１４Ｂ線に沿う概略図、（Ｃ）は第１調整部の内側突状部を図１２中の第３の段部に配置した状態に対応した図１３（Ｃ）の１４Ｃ−１４Ｃ線に沿う概略図。
【図１５】第１実施形態に係る魚釣用リールの図１および図２中のＸＶ−ＸＶ線に沿う部分の要部を示し、左手でリールを保持しながら制動力調整部の第２調整部に左手の親指を当てて操作する状態を示す概略的な縦断面図。
【図１６】第２実施形態に係る魚釣用リールを示す概略的な上面図。
【図１７】第２実施形態に係る魚釣用リールのうち、ハンドルが取り付けられた側と反対側から観察した状態を示し、図１６中の矢印ＸＶＩＩ方向から見た概略図。
【発明を実施するための形態】
【０００８】
図１から図１５を用いて本発明の第１実施形態による魚釣用リール１０について説明する。  
図１から図３に示すように、本実施形態の魚釣用リール１０は、両軸受型手巻きリールとして形成してある。図１に示すように、ここでは釣り人が左手ＬＨで釣竿８および魚釣用リール１０を保持し、右手ＲＨで魚釣用リール１０の右側部のハンドル３０を回すように形成されている場合について説明する。すなわち、ここでは、ハンドル３０の右側に突出したツマミ３０ａを保持して後述するスプール２１を回転させて釣糸を巻き取る。もちろん、左手ＬＨでハンドル３０を操作するようにハンドル３０の配置が逆（左側部）であっても良い。  
なお、左右は図１中において釣竿８の長手方向に直交する方向を示し、前後は釣竿８の長手方向を示し、上下は図２中の上下に相当する。
【０００９】
図１から図３に示すように、魚釣用リール１０のリール本体１２は、図示しない連結部材等で一体化される左右一対のフレーム１４ａ，１４ｂのそれぞれの外側に、後述するように例えば螺合あるいは嵌合等の手段を適宜に組み合わせて側板１６ａ，１６ｂを取り付けて、全体的に剛性構造のハウジングとして形成されている。そして、魚釣用リール１０のリール本体１２は、フレーム１４ａ，１４ｂ間に配設されたリール取付脚部１８を介して釣竿８に固定される。  
なお、リール本体１２の左右一対のフレーム１４ａ，１４ｂの上側であって、側板１６ａ，１６ｂの間にはサムレスト１９が、例えばビス、螺合あるいは嵌合等の手段を適宜に組み合わせて取り付けられている。この実施形態では、サムレスト１９の外観はスプール２１に巻回された釣糸に親指Ｆ１をかけてサミング操作を行うためにリール１０の後側が開いた略Ｕ字状である。
【００１０】
図４に示すように、釣糸が巻回されるスプール２１と後述するスプール軸の第１軸部２３ａと導電部５１とが一体のスプールセット２０は、左側板（保護カバー部材）１６ｂおよび後述する制動装置９０を取り外した状態で左フレーム１４ｂからリール本体１２に対して着脱可能である。  
図５および図６に示すように、左フレーム１４ｂからリール本体１２にスプールセット２０が装着されているときには、スプールセット２０は左右のフレーム１４ａ，１４ｂ間に配設される。右側板１６ａは、スプール軸の後述する第２軸部２３ｂを回転駆動させる巻取り駆動部２２を支持し、この右側板１６ａと右フレーム１４ａとの間に形成された空間内に、この巻取り駆動部２２を形成する駆動力伝達系やドラグ系等の各種機構が収容されている。
【００１１】
図６に示すように、スプール軸は、左右のフレーム１４ａ，１４ｂ間に配置される第１軸部２３ａと、右フレーム１４ａと右側板１６ａとの間に配設される筒状の第２軸部（筒部）２３ｂとを同軸上に備えている。すなわち、第２軸部２３ｂはハンドル３０側（リール本体１２の右側）に配設され、第１軸部２３ａはハンドル３０とは反対側（反ハンドル側、リール本体１２の左側）でスプール２１に装着されスプール２１と一体的に回転する。
【００１２】
第１軸部２３ａの左フレーム１４ｂ側の端部（以下、主に左側端部という）２４ａは略円柱状に形成され、左フレーム１４ｂとは反対側の端部（以下、主に右側端部という）２４ｂには、例えば軸方向に対して直交する方向に１対の凸部２５ａが形成されている。なお、第１軸部２３ａの右側端部２４ｂの凸部２５ａよりも左フレーム１４ｂに近接する側には、所定の範囲内で移動可能にボール軸受２６が第１軸部２３ａに対して抜けないように配設されている。  
一方、リール本体１２の左フレーム１４ｂに着脱可能に装着される後述する制動装置９０にはボール軸受（軸受部）９４が配設され、スプール２１と一体的に回転する第１軸部２３ａの左側端部２４ａを回転自在に支持する。  
すなわち、スプール軸の第１軸部２３ａは、第１軸部２３ａの右側端部２４ｂに配設され、右フレーム１４ａに支持されるボール軸受２６と制動装置９０の軸受部９４とにより回転可能に支持されている。
【００１３】
第２軸部２３ｂは筒状に形成され、リール本体１２の右フレーム１４ａに設けられたボール軸受２７ａ、右側板１６ａの後述する筒状部５５に設けられたボール軸受２７ｂにより回転自在に支持されている。  
右フレーム１４ａには円筒部２９が形成され、この円筒部２９には第２軸部２３ｂのうち、ハンドル３０側とは反対側の端部（以下、主に左側端部という）２８ａの外周を支持するボール軸受２７ａが配設されている。なお、この円筒部２９には、スプール２１の中央壁部２１ｃとの間に第１軸部２３ａの右側端部２４ｂのボール軸受２６が配設される内方フランジ部２９ａが形成されている。この内方フランジ部２９ａの左面には第１軸部２３ａのボール軸受２６が略当接された状態に配置される。ボール軸受２６は第１軸部２３ａに抜け止めされた状態で配置されているので、第１軸部２３ａの右側端部２４ｂは所定の位置に位置決めされる。すなわち、円筒部２９の内方フランジ部２９ａによって第１軸部２３ａが配設される領域（左右のフレーム１４ａ，１４ｂ間の領域）と、第２軸部２３ｂが配設される領域（右フレーム１４ａと右側板１６ａとの間の領域）とが区画されている。
【００１４】
第２軸部２３ｂの左側端部２８ａには、第１軸部２３ａの右側端部の凸部２５ａを回り止めした状態で受ける例えば十字状の凹部２５ｂが形成されている。このため、スプール軸の第１軸部２３ａの凸部２５ａを第２軸部２３ｂの凹部２５ｂに配置した場合、第１軸部２３ａおよび第２軸部２３ｂが一緒に回転する。なお、凸部２５ａと凹部２５ｂの配置が逆であっても良い。
【００１５】
この第２軸部２３ｂのボール軸受２７ａ，２７ｂで支持された左側端部２８ａおよび右側端部２８ｂの間の部分の外周には、ハンドル３０の回転を軸受３２ａ，３２ｂに支持されたハンドル軸３４、ハンドル軸３４に回り止め嵌合されたドラグ機構４４を経由してドライブギヤ３６を介して回転駆動されるピニオンギヤ３８が例えば一体的に形成されている。なお、このピニオンギヤ３８の左側には、環状溝３８ａが形成されている。  
このピニオンギヤ３８は、公知のクラッチ機構（伝達機構）４８を介して、フレーム１４ａ，１４ｂ間に配置したクラッチレバー４９（図５参照）と連動している。クラッチレバー４９を操作すると、環状溝３８ａに係合されたクラッチプレート４８ａがピニオンギヤ３８を第２軸部２３ｂの軸線方向にスライドさせる。すなわち、クラッチレバー４９を上方位置から下方位置に押圧作動することにより、クラッチ機構４８がＯＦＦとなり第２軸部２３ｂ自体が軸方向に沿って図６中の右側に移動する。例えば、クラッチレバー４９の操作により、スプール軸の第１軸部２３ｂの右側端部２４ｂの凸部２５ａに第２軸部２３ｂの左側端部２８ａの凹部２５ｂが嵌合した位置すなわち巻取状態（クラッチレバー４９が上方位置）と、クラッチレバー４９が下方位置にあるスプール軸の第１軸部２３ａの右側端部２４ｂの凸部２５ａに対して第２軸部２３ｂの左側端部２８ａの凹部２５ｂを分離した状態（スプールフリー状態）とすることができる。なお、スプール軸の第１軸部２３ａの右側端部２４ｂの凸部２５ａに対して第２軸部２３ｂの左側端部２８ａの凹部２５ｂを分離した状態でハンドル３０を回転させると、クラッチプレート４８ａに設けられバネ４８ｃを有する公知の復帰機構４８ｂを介して、スプール軸の第１軸部２３ａの右側端部２４ｂの凸部２５ａに第２軸部２３ｂの左側端部２８ａの凹部２５ｂが嵌合した巻取状態（クラッチレバー４９が上方位置）に復帰し、スプール軸の第１軸部２３ａと一体化されているスプール２１を、第２軸部２３ｂとともに一体的に回転することができる。
【００１６】
図５に示すように、ハンドル軸３４には、公知のスタードラグ（ドラグ調整ノブ）４２が配設され、ドライブギヤ３６には公知のドラグ機構４４が配設されている。特に、スタードラグ４２はハンドル３０を回転させると一緒に回転する。このため、ハンドル３０の左側に隣接配置されている。なお、ドライブギヤ３６やドラグ機構４４の構造についての説明は省略する。
【００１７】
図６に示すように、スプール２１は、軸方向の両側に形成された一対の鍔部２１ａ間に位置する円筒状の胴部２１ｂを有し、胴部２１ｂの内周側に位置する中央壁部２１ｃを介してスプール軸の第１軸部２３ａに一体的に装着され、一対の鍔部２１ａと釣糸巻回胴部２１ｂの外周面とで形成される環状溝内に釣糸（図示しない）が巻回される。この環状溝の底部を形成する胴部２１ｂ上に釣糸（図示しない）を均等に巻回するため、図２に示すように、ハンドル３０の釣糸巻取り回転に連動して、一対の左右のフレーム１４ａ，１４ｂ間を往復動する公知のレベルワインド機構５０が配置されている。このレベルワインド機構５０は、右側板１６ａ内の駆動部と連動する係合子を左右に移動することにより、ハンドル３０の回転操作にともなって、釣糸をスプール２１の胴部２１ｂ上に均等に巻き取ることができる。
【００１８】
図６に示すように、第１軸部２３ａのうち、左側端部２４ａに近接する部分の外周面には、第１軸部２３ａの軸方向に沿って所定の範囲だけ移動可能で、周方向には回転しない導電部（被制動部）５１が配設されている。  
導電部５１は、スプール軸の第１軸部２３ａに対して軸方向に移動可能で回り止めされたボス部５１ａと、このボス部５１ａに例えば一体的に形成され半径方向外方に延びる支持部５１ｂと、ボス部５１ａに接着や嵌合等により固定的に設けられた導電体５１ｃとを有する。  
ボス部５１ａおよび支持部５１ｂは軽量な樹脂材で形成されていることが好ましい。導電体５１ｃは例えばアルミニウムあるいは銅等の非磁性の導電性材料で形成されていることが好ましい。
【００１９】
そして、支持部５１ｂはボス部５１ａの外周面から径方向外方に突出し、公知のように、スプール２１に形成したテーパ面２１ｄに摺接する傾斜面５１ｅを外周に有する遠心カラー５１ｄを第１軸部２３ａの径方向に移動可能に支持する。スプール２１のテーパ面２１ｄは、遠心カラー５１ｄが第１軸部２３ａの径方向外側に向かって移動する際に、遠心カラー５１ｄの外面に形成された傾斜面５１ｅと面接触（係合）して、遠心カラー５１ｄの移動を案内する。
【００２０】
第１軸部２３ａには第１軸部２３ａの径方向外方に向かって突出するピン５３ａが固定されている。ボス部５１ａにはそのピン５３ａを受け入れる第１軸部２３ａの軸方向に長い空間５３ｂが形成され、ボス部５１ａはそのピン５３ａにより軸方向にのみ案内され、ボス部５１ａが周方向に移動するのが防止される。  
第１軸部２３ａの左側端部２４ａと、導電部５１のボス部５１ａとの間には、略円盤状の係止部材５２が装着されている。ボス部５１ａの右側端部はスプール２１の中央壁部２１ｃの左側端部に接離可能に当接されている。そして、係止部材５２とボス部５１ａとの間にはコイルバネ５２ａが配設されている。すなわち、係止部材５２はコイルバネ５２ａの左側端部を支持し、ボス部５１ａはコイルバネ５２ａの右側端部を支持する。このため、導電部５１は後述する磁石１２０ａ，１２０ｂから離間する方向に向かって付勢され、通常は導電部５１の右側端部、つまり、ボス部５１ａの端部がスプール２１の中央壁部２１ｃの左側端部に当接している。なお、コイルバネ５２ａの右側端部は図６中に示すように、ボス部５１ａと第１軸部２３ａとの間に支持されていることが好ましい。  
そして、導電部５１は、スプール２１が高速回転すると、遠心力の作用により遠心カラー５１ｄが第１軸部２３ａの径方向外方に移動して、スプール２１の内側に形成したテーパ面２１ｄに摺接して支持部５１ｂを介してコイルバネ５２ａの付勢力に抗して導電体５１ｃを後述する磁石１２０ａ，１２０ｂの磁界内に移動し、スプール２１に作用する磁気制動力が強くなる。また、スプール２１の回転速度が小さくなる（低速になる）につれて遠心力が小さくなり、導電部５１の導電体５１ｃはコイルバネ５２ａの付勢力により磁石１２０ａ，１２０ｂの磁界から遠ざかり、スプール２１に作用する磁気制動力は弱くなる。
【００２１】
なお、フレーム１４ａ，１４ｂ間の前側には、レベルワインド機構５０を覆い、釣糸が絡みつくのを防止する前カバー５０ａが固定されている。
【００２２】
図１、図２、図５、図６に示すように、右側板１６ａには、セットスクリュウ５４が配設されている。セットスクリュウ５４は例えばハンドル３０の後側やや上方に配設されている。図６に示すように、セットスクリュウ５４の中心軸はスプール軸の第１軸部２３ａおよび第２軸部２３ｂと同じである。セットスクリュウ５４は、右側板１６ａに設けられ、筒状の第２軸部２３ｂの外周を支持するボール軸受２７ｂが配設された筒状部５５を有する。筒状部５５の右側端部の外周には雄ネジ５５ａが形成されている。筒状部５５の雄ネジ５５ａよりも左側にはスプリングオサエ５５ｃを介してリーフスプリング５５ｂが配設されている。  
筒状部５５には、キー溝５５ｄが形成されている。キー溝５５ｄは筒状の第２軸部２３ｂの内側部分に連通している。キー溝５５ｄにはＴ字状端部５６ａを有するロッド５６が嵌め込まれる。このロッド５６は例えば樹脂材で形成され、スプールセット２０が左右のフレーム１４ａ，１４ｂ間の所定の位置に装着されたときに、Ｔ字状端部５６ａは筒状部５５の右側端部よりも僅かに右側に突出する。
【００２３】
そして、筒状部５５の雄ネジ５５ａには回転ツマミ（スプール２１（スプールセット２０）に回転制動力を与える第１の操作部）５７を配設可能である。回転ツマミ５７は例えば袋ナットのように一端が開口し、他端が閉塞している。回転ツマミ５７のうち、閉塞された他端に近接する側の内周面には雌ネジ５７ａが形成され、開口された一端に近接する側の内周面には多数の凹凸部５７ｂが形成されている。このため、回転ツマミ５７を筒状部５５に対して回転させると、雄ネジ５５ａと雌ネジ５７ａとが螺合するとともに、凹凸部５７ｂがリーフスプリング５５ｂに対して動くので、クリック音が発生する。また、リーフスプリング５５ｂと凹凸部５７ｂとの間の係合により、回転ツマミ５７が筒状部５５に対して回転が防止（抜け止め）されている。ここでは、キャスティング時の動作程度では回転ツマミ５７が筒状部５５に対して回転するのが防止されていることが好ましい。すなわち、回転ツマミ５７は筒状部５５に対して、回転ツマミ５７を能動的に回転させるという人的な力を加えることによって回転する。
【００２４】
そして、回転ツマミ５７を筒状部５５に対して回転させて螺合させていくにつれて、回転ツマミ５７の閉塞された他端はロッド５６のＴ字状端部５６ａを左側に押圧する押圧部５７ｃとなる。このため、ロッド５６の左側端部とスプールセット２０の第１軸部２３ａの右端部２４ｂとの機械的な摩擦力が大きくなって、スプールセット２０の制動力が調整される。すなわち、セットスクリュウ５４は、筒状部５５に対する回転ツマミ５７の螺合状態を調整することによってスプール２１（スプールセット２０）の制動力を調整することができる。回転ツマミ５７を筒状部５５に螺合させる際に、回転量に対して左側への移動量は小さいことが好ましく、この場合、Ｔ字状端部５６ａおよびロッド５６が左側に移動する移動量を小さくすることができる。このため、セットスクリュウ５４によってスプール２１に対する制動力を微調整することができる。  
なお、回転ツマミ５７は、スタードラグ４２よりも左側に右側端部があり、ハンドル３０を回転させたり、スタードラグ４２を回転させても、回転ツマミ５７に影響を与えない。
【００２５】
図４に示す左フレーム１４ｂに対しては、図７（Ｂ）に示す制動装置９０を着脱可能であり、かつ、図８（Ａ）および図８（Ｂ）に示す左側板１６ｂを着脱可能である。そして、左フレーム１４ｂに左側板１６ｂを取り付けた状態を図９に示す。  
図４に示すように、左フレーム１４ｂは、平面部６２と、この平面部６２の縁部から外側（反ハンドル側）に延出された下側フランジ部６４とを有する。下側フランジ部６４は左フレーム１４ｂの下側から後側にかけて連続的に形成されている。平面部６２は後側が略円形状で、前側に向かうにつれ次第に細くなっている。
【００２６】
サムレスト１９は、左フレーム１４ｂの平面部６２に対して例えばネジ６５で例えば２箇所に固定されている。１つ目の固定箇所はサムレスト１９のうち左フレーム１４ｂに対してハンドル３０と反対側に突出した左側縁部１９ａの下側である。２つ目の固定箇所は、サムレスト１９の左側縁部１９ａの後側であって、下側フランジ部６４の後側の端部の近傍である。なお、サムレスト１９の後端部の外表面は面取りされ、下側フランジ部６４の後側の端部との間の隙間が小さく、下側フランジ部６４の後側の端部と、左フレーム１４ｂの下側フランジ部６４の後端部との間の境界部分は、指等に対する引っ掛かりなく滑らかに処理されている。
【００２７】
左フレーム１４ｂの平面部６２には、スプールセット２０を右フレーム１４ａとの間に着脱する円形開口部６６が形成されている。図７（Ａ）および図７（Ｂ）に示すように、円形開口部６６の縁部には、円形開口部６６を覆うように制動装置９０が着脱可能に配置されている。制動装置９０は、左フレーム１４ｂの平面部６２の円形開口部６６の縁部に設けられた複数（例えば３箇所）の保持部６８（図４参照）によって左フレーム１４ｂの平面部６２に着脱可能に保持される。図４に示す平面部６２には、さらにネジ穴６８ａが形成され、制動装置９０の後述する螺合固定部１８２が着脱可能に螺合される。ここでは、制動装置９０の後述する支持部材９２の延出部１０８を適当な位置から上側に回動させることによって、左フレーム１４ｂに対して制動装置９０の支持部材９２を所定の位置に配置することができるようになっている。したがって、制動装置９０は左フレーム１４ｂの平面部６２に対して着脱可能であり、制動装置９０を取り外した状態でスプールセット２０を着脱可能である。
【００２８】
なお、制動装置９０は、左フレーム１４ｂの平面部６２及び下側フランジ部６４と、サムレスト１９の左側縁部１９ａとによって形成された空間に配置される。
【００２９】
図４に示すように、左フレーム１４ｂの平面部６２には、左側板１６ｂの後述する着脱ネジ７８が螺合するネジ穴６２ａが形成されている。このネジ穴６２ａは左フレーム１４ｂの下側フランジ部６４の下側前方縁部６４ａに近接した位置に形成されている。また、左フレーム１４ｂの平面部６２には、左側板１６ｂの後述するピン８０（図８（Ｂ）参照）が嵌合する孔部６２ｂが形成されている。この孔部６２ｂは左フレーム１４ｂの下側フランジ部６４の下側後方縁部６４ｂに近接した位置に形成されている。
【００３０】
図４中において、左フレーム１４ｂの下側フランジ部６４の下側前方縁部６４ａは左上がりの傾斜に形成され、下側後方縁部６４ｂは右上がりの傾斜に形成されている。すなわち、下側前方縁部６４ａは、釣竿８が装着されるリール取付脚部１８に対して前方側に向かうにつれて離れていくようになっている。また、下側後方縁部６４ｂは、リール取付脚部１８に対して後方側に向かうにつれて離れていくようになっている。
【００３１】
図８（Ａ）および図８（Ｂ）に示す左側板１６ｂは、左フレーム１４ｂを覆うとともに、左フレーム１４ｂから左方に突出した制動装置９０を覆う空間を有するカバー部材として形成されている。左側板１６ｂは、左手ＬＨの掌を受ける外面部７２と、上側縁部７４と、下側縁部７６とを一体的に有する。  
外面部７２は、左フレーム１４ｂに対して左側板１６ｂを装着した状態で外側となり左手ＬＨの掌を受けるように膨出した表面部７２ａと、左フレーム１４ｂに対向するように内側となり制動装置９０を収容する凹状の裏面部（内壁部）７２ｂとを有する。この実施形態における左側板１６ｂの表面部７２ａは左手ＬＨの掌の母指球周辺に当たる位置が滑らかな膨らみを持った状態に形成されている。左側板１６ｂの裏面部７２ｂは、左フレーム１４ｂおよび左フレーム１４ｂに装着された制動装置９０との間に空間を形成する。なお、上側縁部７４および下側縁部７６は外面部７２の表面部７２ａおよび裏面部７２ｂに滑らかに連続して形成されている。  
なお、外面部７２には、制動装置９０の後述する制動力調整部９６ｂの回動操作部（操作部）１８４を操作可能に配置する貫通した操作開口部（凹部）７３が形成されている。この構造については後述する。
【００３２】
上側縁部７４は、この実施形態ではサムレスト１９の左側縁部１９ａに嵌合する嵌合部として形成され、例えばその後方側で外方に向かって突出する突起部（爪部）７４ａを有する。そして、上側縁部７４はその突起部７４ａによってサムレスト１９の左側縁部１９ａの下側の所定の位置に嵌合される。左側板１６ｂの上側縁部７４とサムレスト１９の左側縁部１９ａとが嵌合された場合、サムレスト１９の左側縁部１９ａと左側板１６ｂの外面部７２との間の隙間は小さく、サムレスト１９の左側縁部１９ａと左側板１６ｂの外面部７２との間の境界部分は、指等に対する引っ掛かりなく滑らかに処理されている。
【００３３】
下側縁部７６のうちスプール軸よりも前側部７６ａには、図８（Ｂ）に示すように、着脱ネジ７８が装着されている。具体的には、着脱ネジ７８の頭部７８ａを回転可能に押さえつつ、プレート８６を留めネジ８８で固定することにより、着脱ネジ７８の頭部７８ａが左側板１６ｂから脱落を防止した状態で配設されている。着脱ネジ７８は、前側部７６ａの凹部７６ｃを通して頭部（固定操作部）７８ａの一部が回転操作可能となっている。なお、頭部７８ａの一部は、前側部７６ａの外表面に対して突出していても、前側部７６ａの外表面に対して引き込まれた状態にあっても、操作可能であれば良い。そして、着脱ネジ７８のネジ部７８ｂは外面部７２の表面部７２ａに対して離れる側に突出し、左フレーム１４ｂのネジ穴６２ａに螺合可能である。着脱ネジ７８のネジ部７８ｂおよび左フレーム１４ｂのネジ穴６２ａは左ネジとして形成されている。これは、釣竿８やリール１０の操作の際に頭部７８ａに指（例えば人差し指Ｆ２）が当たっても着脱ネジ７８が締まる方向に力を加えるようにするためである。  
なお、下側縁部７６には、制動装置９０の後述する操作突起（スプール２１（スプールセット２０）に回転制動力を与える第２の操作部）１５０が操作可能に配設される凹部（操作開口部）７６ｄが形成されている。
【００３４】
外面部７２の裏面部７２ｂ側であって、下側縁部７６の後側部７６ｂには、図８（Ｂ）に示すように、左フレーム１４ｂの平面部６２の孔部６２ｂに嵌合されるピン８０が外面部７２の表面部７２ａに対して離れる側に突出形成されている。このため、サムレスト１９の左側縁部１９ａに嵌合する上側縁部７４の突起部７４ａとともに左フレーム１４ｂに対して左側板１６ｂを位置決めすることができる。
【００３５】
この実施形態に係る左側板１６ｂを左フレーム１４ｂに着脱する作用について説明する。ここでは、左フレーム１４ｂに対して左側板１６ｂを取り付ける作用について説明する。なお、左フレーム１４ｂに対して左側板１６ｂを取り外す作用は逆に行えば良いので説明を省略する。  
サムレスト１９の左側縁部１９ａに左側板１６ｂの上側縁部７４の突起部７４ａを引っ掛ける。このとき、左フレーム１４ｂのネジ穴６２ａに対して左側板１６ｂに装着された着脱ネジ７８のネジ部７８ｂが当接され、かつ、左フレーム１４ｂの孔部６２ｂに対して左側板１６ｂのピン８０が対峙している。この状態で着脱ネジ７８の頭部７８ａを魚釣用リール１０の後方に回転させると、左側板１６ｂに装着された着脱ネジ７８のネジ部７８ｂが左フレーム１４ｂのネジ穴６２ａに螺合しつつ、左側板１６ｂのピン８０が左フレーム１４ｂの孔部６２ｂに対して嵌合量を増していく。すなわち、下側フランジ部６４と下側縁部７６との間の隙間が小さくなって左フレーム１４ｂに対して左側板１６ｂが装着される。  
このように、左側板１６ｂが左フレーム１４ｂに着脱される際には、左側板１６ｂの上側をサムレスト１９の左側縁部１９ａに引っ掛けて、ヒンジ状に動かして蓋をするようになっているので、制動装置９０に触れることなく左側板１６ｂの開閉を行うことができる。
【００３６】
図７（Ｂ）に示すように、制動装置９０は、左フレーム１４ｂに着脱する際の土台となる支持部材９２と、スプール軸の第１軸部２３ａを受ける軸受部９４（図６参照）と、スプールセット２０の制動部９６ａおよび制動力調整部９６ｂを有する制動機構９６とが一体的に形成されている。すなわち、制動装置９０はユニット化されている。そして、本実施形態では、支持部材９２には、制動部９６ａと制動力調整部９６ｂとを有する制動機構９６が配設され、制動機構９６の制動部９６ａには、軸受部９４が支持されている。  
なお、制動力調整部９６ｂは、軸受部９４および制動部９６ａと同じ軸上に設けられた第１調整部（回動操作部）１１４と、軸受部９４および制動部９６ａとは別の軸上に設けられた第２調整部１７２とを有する。
【００３７】
図６および図７（Ｂ）に示すように、支持部材９２は、左フレーム１４ｂの円形開口部６６よりも僅かに小さく形成された円盤状の支持部材本体１０２と、支持部材本体１０２の外側縁部から外側に延出され、左フレーム１４ｂの円形開口部６６の縁部に引っ掛けられる複数（例えば３箇所）の係合部１０４と、係合部１０４の内側であって制動機構９６の制動部９６ａが配設される中央開口部１０６（図６参照）と、支持部材本体１０２の外側から延出され制動力調整部９６ｂの第２調整部１７２が配設される延出部１０８とを一体的に有する。制動機構９６は、支持部材本体１０２のうち、スプールセット２０の導電部５１が配設された鍔部２１ａに対向する面とは反対側の面側に配設されている。
【００３８】
図７（Ｂ）に示す円盤状の支持部材本体１０２は、左フレーム１４ｂの円形開口部６６に挿入可能である。そして、支持部材本体１０２の縁部の係合部１０４が左フレーム１４ｂの円形開口部６６の縁部に引っ掛けられる。この状態で支持部材９２の延出部１０８を上側に向けて回動させると、図７（Ａ）に示すように、左フレーム１４ｂの円形開口部６６の縁部の保持部６８に対して、支持部材本体１０２の係合部１０４が着脱可能に係合される。そして、第２調整部１７２に設けられた後述する螺合固定部１８２を左フレーム１４ｂの平面部６２のネジ穴６８ａに螺合することによって、制動装置９０を左フレーム１４ｂの所定の位置に位置決め装着することができる。なお、図７（Ａ）および図７（Ｂ）に示す螺合固定部１８２の頭部は工具を用いる必要なく指（例えば親指Ｆ１）や硬貨等により簡単に螺合／螺合解除できるようになっている。
【００３９】
なお、左フレーム１４ｂに対して制動装置９０を装着した状態では、図５、図６、図１５に示すように、左フレーム１４ｂと左側板１６ｂの裏面部７２ｂとの間、制動装置９０と左側板１６ｂの裏面部７２ｂとの間はそれぞれ離間され、空間が形成されている。すなわち、制動装置９０と左側板１６ｂの裏面部７２ｂとは対向した状態に配置される。このため、制動装置９０の各部（制動機構９６ａおよび制動力調整部９６ｂ）が左側板１６ｂの表面部７２ａに突出することが防止され、良好な保持性を有することとなる。そして、魚釣用リール１０が落下等して左側板１６ｂに外力が加えられたとしても、左フレーム１４ｂと左側板１６ｂの裏面部７２ｂとの間、制動装置９０と左側板１６ｂの裏面部７２ｂとの間にはそれぞれ空間が形成されているので、外力を緩衝し、制動装置９０や左フレーム１４ｂに対して直接的に衝撃を与えることを防止することができる。
【００４０】
図６および図７（Ｂ）に示す制動機構９６の制動部９６ａは、スプールセット２０のスプール２１に一体的に設けられた導電部（被制動部）５１との間に制動力を付与する。この結果、制動部９６ａはスプールセット２０に制動力を付与することとなる。  
制動部９６ａは、セットプレート１１２と、内側磁石ホルダ１１６と、外側磁石ホルダ１１８とを有する。そして、セットプレート１１２の外周には、セットプレート１１２に対して回動可能な第１調整部（回動操作部）１１４（図１０（Ａ）から図１０（Ｄ）参照）が配設されている。  
セットプレート１１２は、支持部材本体１０２に一体成形されている。図６に示すように、セットプレート１１２は、ボール軸受（軸受部）９４を収容する支持部材９２の中央開口部１０６と同心状に、スプール軸側から小径部１２４ａと大径部１２４ｂとを順に形成した支持台部１２４を有する。  
支持台部１２４の小径部１２４ａの内周部には、スプール軸の第１軸部２３ａの左側端部２４ａを受けるボール軸受（軸受部）９４が配置されている。このボール軸受９４の内側に対してスプール軸の第１軸部２３ａの左側端部２４ａが挿脱可能である。
【００４１】
支持台部１２４の小径部１２４ａの外周部には、内側磁石ホルダ１１６を収容する環状溝１２６を形成してある。内側磁石ホルダ１１６は環状溝１２６に対して摺動可能である。この内側磁石ホルダ１１６の外周には、内側リング磁石１２０ａを固定してある。内側リング磁石１２０ａは、導電部５１の導電体５１ｃと略等しい軸方向寸法を有することが好ましい。  
支持台部１２４の大径部１２４ｂの内周部には、外側磁石ホルダ１１８を収容する環状溝１２８を形成してある。外側磁石ホルダ１１８は環状溝１２８に対して摺動可能である。この外側磁石ホルダ１１８の内周には、内側リング磁石１２０ａに対向した状態で外側リング磁石１２０ｂを固定してある。この外側リング磁石１２０ｂは導電部５１の導電体５１ｃと略等しい軸方向寸法を有することが好ましい。  
すなわち、支持部材本体１０２とセットプレート１１２との間には、内側磁石ホルダ１１６および外側磁石ホルダ１１８が配設されている。そして、内側磁石ホルダ１１６は外側磁石ホルダ１１８に対して回動可能である。また、内側磁石ホルダ１１６は外側磁石ホルダ１１８とともにスプール軸の軸方向への移動は可能であるが、単独での移動は規制されている。すなわち、内側磁石ホルダ１１６および外側磁石ホルダ１１８はスプール軸の軸方向へは一緒に移動する。  
内側リング磁石１２０ａと外側リング磁石１２０ｂとの間には、導電部５１の導電体５１ｃが挿脱可能な環状間隙１２２が形成されている。制動力調整部９６ｂの後述する回動操作部１８４により外側磁石ホルダ１１８の位置を保持したまま、内側磁石ホルダ１１６を支持台部１２４の小径部１２４ａに対して摺動させる（回動させる）ことにより、内側磁石ホルダ１１６の内側リング磁石１２０ａと外側磁石ホルダ１１８の外側リング磁石１２０ｂとの間の磁界を無段階で変化させ、すなわち、微調整することができる。
【００４２】
なお、図１０（Ａ）から図１０（Ｄ）には第１調整部１１４を示す。図１１は制動装置９０の制動部９６ａから第１調整部１１４を取り外した状態を示す。図１２には、図１１中のＸＩＩ−ＸＩＩ線に沿った方向から観察した状態を示す概略図を示す。
【００４３】
第１調整部１１４は、図１０（Ａ）から図１０（Ｄ）に示すように、略環状に形成された環状部１３２と、環状部１３２の縁部から例えば環状部１３２の中心軸に略平行に延出された周面部１３４と、周面部１３４から環状部１３２の径方向外方に向かって突出したフランジ部１３６ａ，１３６ｂとを有する。周面部１３４は、制動力調整部９６ｂの後述する延出部１７４を延出するために筒状の一部を切り欠いた状態に形成されている。フランジ部１３６ａ，１３６ｂは、周面部１３４のうち環状部１３２に対する遠位の位置から環状部１３２の中心軸に対して離れる方向に形成されている。  
一方、支持部材本体１０２には第１調整部１１４のフランジ部１３６ａ，１３６ｂを回動可能に保持する１対の保持部１４０ａ，１４０ｂ（図７、図１３、図１４参照）が形成され、第１調整部１１４を所定の範囲内で回動可能としている。なお、第１調整部１１４の中心軸はスプール軸の中心軸と略一致する。
【００４４】
図１０（Ａ）から図１０（Ｄ）に示すように、周面部１３４には、環状部１３２の中心軸に向かって突出する内側突状部１３８ａ，１３８ｂが形成されている。セットプレート１１２の大径部１２４ｂの環状溝１２８に摺動可能に配設された外側磁石ホルダ１１８には、図１２に示すように、内側突状部１３８ａ，１３８ｂが係合される係合溝１４２が形成されている。この係合溝１４２は、スプール軸と平行に形成された軸方向溝１４４と、軸方向溝１４４に連続し例えば略螺旋状に形成された螺旋状溝１４６とを有する。このうち、軸方向溝１４４は内側突状部１３８ａ，１３８ｂを外側磁石ホルダ１１８に着脱する際に用いられる。  
そして、第１調整部１１４の内側突状部１３８ａ，１３８ｂが外側磁石ホルダ１１８の係合溝１４２に係合された状態で、第１調整部１１４を回動させると、第１調整部１１４の内側突状部１３８ａ，１３８ｂは外側磁石ホルダ１１８の係合溝１４２の螺旋状溝１４６をスプール軸の軸方向に押圧する。すなわち、外側磁石ホルダ１１８がスプール軸の軸方向に沿って移動する。図６および図１４に示すように、外側磁石ホルダ１１８と内側磁石ホルダ１１６とは互いにスプール軸の軸方向に一体に動く構成となっているため、外側磁石ホルダ１１８とともに内側磁石ホルダ１１６もスプール軸の軸方向に沿って移動する。
【００４５】
図１０（Ａ）から図１０（Ｃ）に示すように、第１調整部１１４は、環状部１３２から延出された突出部１５０ａを介して操作突起１５０を有する。図７（Ａ）および図９に示すように、この操作突起１５０は、左フレーム１４ｂに左側板１６ｂが装着された状態で、リール１０の左側板１６ｂの凹部（開口部）７６ｄを通して下側縁部７６から突出するように形成されている。なお、操作突起１５０は、左側板１６ｂの下側縁部７６から突出する突出量は小さく、図１から図３（特に図２）に示す釣竿８および魚釣用リール１０を握持保持したときに操作突起１５０に左手ＬＨが当たらない位置にあるように設定されている。
【００４６】
そして、図１３（Ａ）から図１３（Ｃ）に示すように、セットプレート１１２に装着された第１調整部１１４の操作突起１５０を操作し、第１調整部１１４をセットプレート１１２に対して回動させると、図１４（Ａ）から図１４（Ｃ）に示すように、導電部５１の導電体５１ｃが内側磁石１２０ａと外側磁石１２０ｂとの間の環状間隙１２２に入る量が変更される。すなわち、スプールセット２０に対する制動力を大きく変更することができる。  
なお、図１３（Ａ）に示す状態は図１４（Ａ）に、図１３（Ｂ）に示す状態は図１４（Ｂ）に、図１３（Ｃ）に示す状態は図１４（Ｃ）にそれぞれ対応する。
【００４７】
この実施形態では、図１２に示すように、外側磁石ホルダ１１８の係合溝１４２の螺旋状溝１４６は３つの段部１４６ａ，１４６ｂ，１４６ｃを連続して有する。第１段部１４６ａと第２段部１４６ｂとの間、第２段部１４６ｂと第３段部１４６ｃとの間には共に段差（滑らかに連続していない部分）があり、第１調整部１１４の内側突状部１３８ａ，１３８ｂが第１段部１４６ａと第２段部１４６ｂとの間や第２段部１４６ｂと第３段部１４６ｃとの間を移動する際にクリック感が得られる。すなわち、操作突起１５０も上述した回転ツマミ５７と同様に、操作突起１５０を能動的に回転させるという人的な力を加えることによって回動する。  
第１段部１４６ａは軸方向溝１４４に近接する位置にあり、第１段部１４６ａに内側突状部１３８ａ，１３８ｂが係合されているとき（図１３（Ａ）参照）には、図１４（Ａ）に示すように、内側磁石１２０ａおよび外側磁石１２０ｂに対する導電部５１の支持部５１ｂの位置（距離Ｌ１）は最も遠い。このため、導電部５１の導電体５１ｃが磁石１２０ａ，１２０ｂの間に配設されている量は小さい。  
第２段部１４６ｂは、第１段部１４６ａと螺旋状溝１４６の最も奥側の第３段部１４６ｃとの間にあり、第２段部１４６ｂに内側突状部１３８ａ，１３８ｂが係合されているとき（図１３（Ｂ）参照）には、図１４（Ｂ）に示すように、第１段部１４６ａに内側突状部１３８ａ，１３８ｂが係合されている状態よりも内側磁石１２０ａおよび外側磁石１２０ｂに対する導電部５１の支持部５１ｂの位置は近い（距離Ｌ２＜Ｌ１）。このため、導電部５１の導電体５１ｃが磁石１２０ａ，１２０ｂの間に配設されている量は、第１段部１４６ａに内側突状部１３８ａ，１３８ｂが係合されている状態よりも大きい。  
第３段部１４６ｃは螺旋状溝１４６の最も奥側にあり、第３段部１４６ｃに内側突状部１３８ａ，１３８ｂが係合されているとき（図１３（Ｃ）参照）には、図１４（Ｃ）に示すように、第２段部１４６ｂに内側突状部１３８ａ，１３８ｂが係合されている状態よりも内側磁石１２０ａおよび外側磁石１２０ｂに対する導電部５１の支持部５１ｂの位置は近い（距離Ｌ３＜Ｌ２＜Ｌ１）。このため、導電部５１の導電体５１ｃが磁石１２０ａ，１２０ｂの間に配設されている量は、第２段部１４６ｂに内側突状部１３８ａ，１３８ｂが係合されている状態よりも大きい。
【００４８】
すなわち、操作突起１５０を図１３（Ａ）に示す位置から図１３（Ｃ）に示す位置に向かって回動させると、図１４（Ａ）から図１４（Ｃ）に示すように、導電体５１ｃが環状間隙１２２に入る量が次第に大きくなる。このため、図１３（Ｃ）および図１４（Ｃ）に示す位置では、磁石１２０ａ，１２０ｂにより大きな磁力を受ける。一方、図１３（Ａ）および図１４（Ａ）に示すように、導電体５１ｃが環状間隙１２２に入る量が小さくなると、磁石１２０ａ，１２０ｂにより受ける磁力が小さくなる。このように、第１調整部１１４を操作することによって、スプールセット２０の基準制動力を設定することができる。その基準制動力（抑制力）は第１段部１４６ａに内側突状部１３８ａ，１３８ｂがある状態から、第２段部１４６ｂ、第３段部１４６ｃと奥側に移動するにつれて大きくなる。
【００４９】
そして、ハンドル３０を回転させてスプールセット２０を回転させると、スプールセット２０のスプール２１に装着された導電部５１には内側リング磁石１２０ａおよび外側リング磁石１２０ｂにより形成された環状間隙１２２における磁界の影響で渦電流が発生する。そして、導電部５１の導電体５１ｃが磁石１２０ａ，１２０ｂの間に配設されている量（内側突状部１３８ａ，１３８ｂが段部１４６ａ，１４６ｂ，１４６ｃに係合されている位置）に応じてスプールセット２０の回転抑制力を規定する。したがって、制動装置９０の第１調整部１１４の操作突起１５０を操作すると、制動効果を大きく変化させて基準制動力を設定できる。
【００５０】
図６、図７および図１５に示すように、制動力調整部９６ｂは、第１調整部１１４とは別に、第２調整部１７２と、制動部９６ａの内側磁石ホルダ１１６から延出された延出部１７４と、この延出部１７４の遠位端に固定された連動歯車１７６とを有する。延出部１７４と連動歯車１７６は一体でも良いが、別体とすると組み立て性が良いので別体であることが好ましい。  
第２調整部１７２は、左フレーム１４ｂの平面部６２のネジ穴６８ａに対して螺合固定可能な螺合固定部１８２と、螺合固定部１８２の回りを回動可能な回動操作部（スプール２１（スプールセット２０）に回転制動力を与える第３の操作部）１８４とを備えている。回動操作部１８４は左側板１６ｂの操作開口部７３によって外側から操作可能となっており、支持部材９２の延出部１０８に対して脱落を防止した状態で回動可能に支持されている。なお、図示しないリーフスプリングにより、回動操作部１８４を回動させる際にクリック音を発生させるとともに、回動操作部１８４は、回動操作部１８４を能動的に回動させるという人的な力を加えることによって回動するようになっている。すなわち、回動操作部１８４の調整位置をズレ難くすることができる。
【００５１】
図７（Ａ）、図７（Ｂ）および図１５に示すように、回動操作部１８４は外周部１８４ｃの縁部１８４ｄに少なくとも凹凸による滑り止めＫが形成された例えば円形ダイヤル形状を有する。このような円形ダイヤル形状を有すると、図１５に示す親指Ｆ１の腹部が外周部１８４ｃと側面１８４ｅの２面に跨る縁部１８４ｄへの押圧となって接触面積を大きく取れ、かつ、親指Ｆ１への圧力を広範囲に分散できる。このため、左手ＬＨの親指Ｆ１が痛くなり難く、回動操作部１８４の操作もし易い。また、親指Ｆ１を回動操作部１８４に押し当てた際に凹凸部に指の腹が喰い込むので、操作の際の滑りを防止できる。  
なお、凹凸による滑り止めＫは回動操作部１８４の外周部１８４ｃの全体や側面１８４ｅの全体に形成しても良い。また、回動操作部１８４の径方向内方の側面１８４ｅに目盛り１８４ｆや、回動操作部１８４に対向する保護部材７３ａに指標部７３ｂ等が形成されている。
【００５２】
図７（Ａ）、図７（Ｂ）および図１５に示すように、回動操作部１８４の縁部１８４ｄの近傍の側面１８４ｅには、例えば環状に溝１８４ａが形成されている。このため、指に水分が付着している場合に、その水分を溝１８４ａに逃がすことができ、回動操作部１８４を滑り難くすることができる。特に、左側板１６ｂにより形成される操作開口部７３内に親指Ｆ１を押し付けるので、この回動操作部１８４への親指Ｆ１への押し付け力は小さくなり、これらの滑り防止は効果的である。  
そして、制動力調整部９６ｂの回動操作部１８４の外周には回動操作部側歯車１８４ｂが形成され、これが連動歯車１７６に噛み合わせられている。このため、回動操作部１８４を左フレーム１４ｂに対して例えば図９中のＰ方向に回動させると、回動操作部側歯車１８４ｂを介して連動歯車１７６をＱ方向に回動させる。そして、連動歯車１７６に連結された延出部１７４を介して内側磁石ホルダ１１６が外側磁石ホルダ１１８に対してＲ方向に回動する。このため、内側リング磁石１２０ａに対する外側リング磁石１２０ｂの相対位置が変化する。これにより、導電部５１の導電体５１ｃを配置した内側リング磁石１２０ａと外側リング磁石１２０ｂとの間に形成される環状間隙１２２の磁界の強さを微調整することができる。
【００５３】
したがって、制動部９６ａに設けられた第１調整部１１４を操作することによって基準制動力（制動効果）を設定し、第２調整部１７２の回動操作部１８４を操作することによって設定した基準制動力を微調整することができる。このように、これら第１調整部１１４および第２調整部１７２の操作を組み合わせることによって、スプールセット２０に対して広範囲の中から選択される所望の制動力を付与することができる。すなわち、第１調整部１１４が操作された場合と、第２調整部１７２が操作された場合とでは、制動力は異なる調整特性を示す。
【００５４】
左フレーム１４ｂに制動装置９０を装着（図７（Ａ）参照）し、さらに左側板１６ｂを装着（図１から図３、図９参照）した状態のとき、左側板１６ｂの操作開口部７３には、図１５に示すように、左手ＬＨの親指Ｆ１が押し当てられる（図１参照）。図８（Ａ）および図８（Ｂ）に示すように、左側板１６ｂの操作開口部７３は、左側板１６ｂの上方かつ前方側で、上下方向よりも前後方向に長く形成されている。ここでは、操作開口部７３は外観が略平行四辺形に形成されている。左フレーム１４ｂに配設された第２調整部１７２の回動操作部１８４は操作開口部７３を通してその外周部および側部の一部（ここでは図１から図３、図９に示すように回動操作部１８４の上側）が視認できる状態にある。そして、回動操作部１８４は、図１５中に破線で示す左側板１６ｂの外表面の延長面Ｓから外方に突出させることなく、この操作開口部７３の内側に配置した状態で外部に露出させている。  
図１５中に破線で示す左側板１６ｂの外表面の延長面Ｓから回動操作部１８４までの最短距離は、例えば０ｍｍから５ｍｍ程度で、０．５ｍｍから３．０ｍｍ程度であればなお好ましい。すなわち、回動操作部１８４は左側板１６ｂの表面部７２ａに対して突出しないように露出されている。
【００５５】
なお、延長面Ｓの形状は、左側板１６ｂの操作開口部７３の周囲の形状によって変わる。操作開口部７３の周囲がこの実施形態のように曲面の場合、延長面Ｓも曲面であり、操作開口部７３の周囲が平面の場合、延長面Ｓも平面である。すなわち、図１３中、操作開口部７３の周囲が曲面であるから、延長面Ｓを示す破線は曲線である。  
そして、左側板１６ｂの外表面の延長面Ｓから回動操作部１８４が外方に突出しないことの判断は、リール取付脚部１８を水平に配置したときに、操作開口部７３の水平方向および上下方向の短寸法方向で判断するものとする。この実施形態では図２および図９に示す操作開口部７３の上下方向が前後方向に比べて短寸法方向であるため、延長面Ｓ上に図示しない基準線が操作開口部７３の上下方向に採られ、その基準線に回動操作部１８４が触れているか否かで突出しているか否かが判断される。なお、基準線は、操作開口部７３の周囲が曲面であるからこの実施形態では曲線である。また、この曲面は操作開口部７３の周囲の曲率面が延長した形で定義付けられる。
【００５６】
図１５に示すように、左側板１６ｂの操作開口部７３の縁部には、左手ＬＨの親指Ｆ１を保護したり、左側板１６ｂの操作開口部７３から左フレーム１４ｂとの間にゴミが浸入するのを防止するため、例えば環状の保護部材７３ａが固定されている。この保護部材７３ａは硬度が低く、摩擦係数が小さい材料としてＰＴＦＥ、ナイロン、ＡＢＳ樹脂、アセタール樹脂（ＰＯＭ）などの樹脂材が用いられることが好ましい。  
操作開口部７３の下側の縁部に配設された保護部材７３ａは、親指Ｆ１を置く部分として操作開口部７３の下側縁部から外部に突出した状態に固定されている。操作開口部７３の上側の縁部に配設された保護部材７３ａは、ゴミの侵入を防止するように左側板１６ｂの内周面から回動操作部１８４に向かって延出されている。  
図１５に示すように保護部材７３ａの下側に親指Ｆ１を押し当てると、親指Ｆ１は下側に向けた力を掛けることとなる。このとき、親指Ｆ１が保護部材７３ａに強く擦れるので、親指Ｆ１に負担を掛けるのを防止するため、Ｒ形状に丸められている。この保護部材７３ａは、親指Ｆ１が強く擦れるため、未塗装、未メッキ仕上げとすることが好ましい。
【００５７】
そして、釣り人はリール１０を左手ＬＨで保持した状態で左側板１６ｂの操作開口部７３を通して回動操作部１８４の上側部分に親指Ｆ１を押し当てることができる。このため、上側部分に押し当てた親指Ｆ１を操作開口部７３の保護部材７３ａに沿って前後方向に移動させると回動操作部１８４を回動操作可能である。
【００５８】
このリール１０をリール取付脚部１８を介して釣竿８に取り付けた釣り具を用いて魚釣りを実際に行う場合の一連の動作について簡単に説明する。  
釣糸を水中に垂らした状態において、釣竿８および魚釣用リール１０を保持する際には、図２および図３に示すように左手ＬＨで保持する。すなわち、左手ＬＨの親指Ｆ１をサムレスト１９に載置し、人差し指Ｆ２から小指Ｆ５を釣竿８の下側にあてがう。このとき、左手ＬＨには操作突起１５０が当たらず、回動操作部１８４も当たらない。すなわち、操作突起１５０および回動操作部１８４は釣竿８と魚釣用リール１０とを持つ左手ＬＨの接触位置を除く位置にある。具体的には、操作突起１５０および回動操作部１８４は、左右のフレーム１４ａ，１４ｂ間、および、ハンドル３０が設けられた右側板１６ａに対して反対側の左側板１６ｂの外面部７２とは異なる位置にある。このため、通常の使用時における操作突起１５０や回動操作部１８４の誤操作を防止することができる。また、左手ＬＨには回転ツマミ５７は当たらない。このため、通常の使用時における回転ツマミ５７の誤操作を防止することができる。  
このとき、右手ＲＨで回転ツマミ５７を摘んで回転操作して、筒状部５５の左側端部を第１軸部２３ａの右側端部２４ｂに押し付けて機械的に第１軸部２３ａの回転力を阻害することによって、釣糸巻取り状態であるか否かに関わらず、スプールセット２０（スプール２１）の制動力を自在に調整することができる。
【００５９】
そして、回動操作部１８４を操作する場合、図１に示すように左手ＬＨの親指Ｆ１を曲げて操作開口部７３を通して回動操作部１８４の外周部１８４ｃの縁部１８４ｄに親指Ｆ１の指腹を押し当てて操作する必要がある。また、操作突起１５０を操作する場合、例えば人差し指Ｆ２から小指Ｆ５のいずれかを曲げて操作する。又は、魚釣用リール１０を右手ＲＨに持ち替えて操作する。
【００６０】
ハンドル３０を操作して釣糸を巻き取る場合、左手ＬＨで魚釣用リール１０および釣竿８を保持し、右手ＲＨでハンドル３０のツマミ３０ａを保持する。ハンドル３０を回転させる場合、ハンドル３０およびハンドル３０と一緒に回転するスタードラグ４２は、ツマミ３０ａの保持や回転操作に影響を与えない。また、魚釣用リール１０および釣竿８を保持している左手ＬＨで回転ツマミ５７を回転させてしまうこともない。したがって、通常の使用時における回転ツマミ５７の誤操作を防止することができる。
【００６１】
キャスティング（仕掛けの投入）操作を行う場合、まず、右手ＲＨで保持したツマミ３０ａを操作してハンドル３０を回転させ、スプール２１に釣糸を巻き取る。そして、魚釣用リール１０および釣竿８を左手ＬＨから右手ＲＨに持ち替える。このとき、例えばリール本体１２の上側に配置されたサムレスト１９の右側の領域に右手ＲＨの親指を掛け、釣竿８に右手ＲＨの人差し指から小指をあてがう。なお、右側板１６ａの下側に右手ＲＨの人差し指の付け根付近をあてがっても良い。このように持った状態でキャスティングする。  
このとき、右手ＲＨにはリール本体１２の左側に配置した操作突起１５０および回動操作部１８４が当たらない。また、右手ＲＨの親指がサムレストにあり、人差し指から小指が釣竿８にあるので、指がセットスクリュウ５４の回転ツマミ５７に当たらない。したがって、これら操作突起１５０、回動操作部１８４および回転ツマミ５７の誤操作を防止できる。  
なお、セットスクリュウ５４の回転ツマミ５７は、右手ＲＨの親指の付け根付近から人差し指の付け根付近の間の部分に触れる場合もあるが、キャスティング時に強く力が掛かったり、回転ツマミ５７の回転方向に右手ＲＨの接触点が移動することもなく、また、回転ツマミ５７の回転量に対してＴ字状端部５６ａが左側又は右側に移動する量も小さい。このため、キャスティング時に右手ＲＨの親指の付け根付近から人差し指の付け根付近の間の部分に回転ツマミ５７が当たっていても殆ど影響を与えない。
【００６２】
そして、キャスティングによりスプールセット２０が高速回転すると、スプールセット２０のスプール２１および第１軸部２３ａの左右方向の位置は変化しないが、遠心力により導電部５１の導電体５１ｃがコイルバネ５２ａの付勢力に抗して左側（磁石１２０ａ，１２０ｂの磁界内）に移動する。このため、スプールセット２０の回転速度が大きいほど内側リング磁石１２０ａおよび外側リング磁石１２０ｂの間の環状間隙１２２に導電部５１の導電体５１ｃが入り込む量が大きくなり、磁石１２０ａ，１２０ｂ間に生じている磁界の影響を強く受ける。このため、スプールセット２０が高速回転であるほど制動力が大きく働く。その結果、スプール２１の過回転が防止され、バックラッシュ現象が抑止される。一方、スプールセット２０の回転速度が低速になるにつれ遠心力も次第に小さくなって導電部５１がコイルバネ５２ａの付勢力によって右側に移動する。このため、スプールセット２０の回転速度が低速になるにつれて内側リング磁石１２０ａおよび外側リング磁石１２０ｂの間の環状間隙１２２に導電部５１の導電体５１ｃが入り込む量が小さくなり、磁石１２０ａ，１２０ｂ間に生じている磁界の影響を受け難くなる。このため、スプールセット２０が低速回転になるにつれて制動力が小さくなる。そのため、キャスティング終期において、飛距離を不必要に低下させることなく、スプール２１に適度な制動力を付与してバックラッシュを効果的に防止できる。
【００６３】
すなわち、この実施の形態に係る釣り具を用いると、釣竿８を操作しながら、又は、リール１０のハンドル３０を操作しながら適宜にスプールセット２０の制動力を調整する３つの操作部（セットスクリュウ５４の回転ツマミ５７、操作突起１５０および回動操作部１８４）を指で操作することができる。すなわち、これら３つの操作部は全て魚釣用リール１０の外側から操作可能である。しかしながら、これら３つの操作部は魚釣用リール１０および釣竿８を握持したときに魚釣用リール１０および釣竿８の操作性に影響を与え難い位置（それぞれ通常の操作の際に釣り人の手に触れない位置）に配置しているので、魚釣用リール１０および釣竿８の操作性を良好にすることができる。また、通常はこれら操作部に手が当たらないので、手に付着した汚れが操作部に付着することを防止することができる。  
また、これら３つの操作部は全て魚釣用リール１０の外側から操作可能であるので、釣り場の様々な条件に対応して、容易かつ迅速にスプールセット２０の制動調整操作をすることができる。
【００６４】
３つの操作部のうち、操作突起１５０および回動操作部１８４は、釣竿８に魚釣用リール１０を取り付けてこれらを握ったときに邪魔になり難い位置に配置している。すなわち、左手ＬＨで釣竿８と魚釣用リール１０を保持している際に、操作突起１５０および回動操作部１８４と左手ＬＨとの間には空間が形成されるので、操作突起１５０および回動操作部１８４に左手ＬＨを当てるのを防止でき、意図せず操作突起１５０および回動操作部１８４を操作する誤操作を防止できる。  
リール１０を左手ＬＨで保持した状態で、左側板１６ｂの表面部７２ａには突起物がないので、掌に喰い込むことがなく、握持保持性（フィット感）が良く、必要な場合に親指Ｆ１や人差し指を動かして操作突起１５０および回動操作部１８４に指を掛けることによって、容易に操作突起１５０および回動操作部１８４を操作できる。このため、良好な握持保持性を維持することができる。
【００６５】
回動操作部１８４は左側板１６ｂの外部に突出させることなく、操作開口部７３を通して操作可能としたので、より誤操作を生じ難く、魚釣用リール１０等に外力を加えたときにも、性能低下や破損を生じ難くすることができる。また、回動操作部１８４が左側板１６ｂの外部に突出していないので、手に触れる回数が少なく回動操作部１８４に汚れが付着するのを極力防止でき、魚釣用リール１０の握持保持性も良好にすることができる。さらに、左側板１６ｂの外面部７２には回動操作部１８４が現れないので、釣糸が回動操作部１８４に絡まってしまうのを防止することができる。  
また、操作突起１５０は左フレーム１４ｂおよび左側板１６ｂの下部の、魚釣用リール１０と釣竿８とを握持保持する際に影響を受けない位置（デッドスペース）で、左手ＬＨの人差し指等を曲げて操作しようとすることによってはじめて操作可能な位置に配置したので、操作突起１５０の誤操作を防止することができるとともに、手に触れる回数が少なく操作突起１５０に汚れが付着するのを極力防止でき、魚釣用リール１０の握持保持性も良好にすることができる。さらに、左側板１６ｂの外面部７２には操作突起１５０が現れないので、釣糸が操作突起１５０に絡まってしまうのを防止することができる。  
また、操作突起１５０および回動操作部１８４を含む制動装置９０は左側板１６ｂに覆われているので、リール本体１２の内部にゴミ等が浸入したり、汚れが付着したりするのを防止することができる。このため、性能低下や部品の破損等を生じ難くすることができる。  
また、セットスクリュウ５４の回転ツマミ５７は手に触れ難い位置に配置されているので、汚れが付着し難い。また、セットスクリュウ５４は回転ツマミ５７により保護されているので、リール本体１２の内部にゴミ等が浸入したり、汚れが付着したりするのを防止することができる。このため、性能低下や部品の破損等を生じ難くすることができる。
【００６６】
さらに、この実施形態による魚釣用リール１０は、実釣時や釣り場移動時に魚釣用リール１０を落下等させて衝撃（外力）を加えた場合であっても、左側板１６ｂと左フレーム１４ｂとの間、左側板１６ｂと左フレーム１４ｂに装着した制動装置９０との間には空間が形成されているので、衝撃を緩衝することができる。すなわち、制動装置９０に直接外力が加えられて変形や破損等することが防止されている。このため、軸受部９４および制動機構９６に支障が生じることが防止される。このように、軸受部９４に支障が生じることが防止されていることからハンドル３０の回転性能を維持することができるとともに、制動機構９６の制動性能を維持することができる。なお、この実施形態で説明したように、３つの異なる制動性能を有する操作部を設ける場合、魚釣用リール１０の構造が複雑化し精密化するので、外力が掛かるのを防止する必要性が高くなるが、そのようなニーズに対しても、適応することができる。  
そして、この実施形態では、第１調整部１１４および第２調整部１７２の２つの制動力調整部９６ｂにより、制動機構９６の制動力を大きく変更したり、微調整したりすることができる。さらに、セットスクリュウ５４の回転ツマミ５７により機械的に制動力を調整することができる。このため、釣り場の実情に適した幅広い制動力調整が可能となる。一般に、制動機構９６に複数の制動力調整部（第１調整部１１４および第２調整部１７２）が設けられるとすると、複雑な構造となるので外力に対する性能の障害が生じ易いと言えるが、上述したように、左側板１６ｂと制動装置９０との間に空間が形成されることにより、左側板１６ｂに外力が加えられても衝撃を緩衝できるので、そのような性能の障害が生じるのを防止することができる。
【００６７】
また、制動装置９０を左フレーム１４ｂに対して工具不要で着脱可能としたので、釣り場などでリール本体１２からスプールセット２０を取り外して釣糸を取り替えたりするのを容易に行うことができる。また、左フレーム１４ｂから制動装置９０およびスプールセット２０を取り外すことができるので、スプールセット２０、制動装置９０およびリール本体１２のメンテナンス性を向上させることができる。  
なお、ここでは、スプールセット２０を制動するのにそれぞれの操作により制動性能の異なる３つの操作部を有する場合について説明したが、別の制動性能を有する更なる操作部が設けられていても良い。
【００６８】
次に、第２実施形態について図１６および図１７を用いて説明する。この実施形態は第１実施形態の変形例であって、第１実施形態で説明した部材と同一の部材には同一の符号を付し、詳しい説明を省略する。  
図１６および図１７に示すように、左側板１６ｂには操作開口部７３や着脱ネジ７８が設けられていない。
【００６９】
図１７に符号１９２で示す回転歯車は、図９に示す回動操作部側歯車１８４ｂと同様に回転する。そして、この回転歯車１９２には、回転操作部（第２調整部）１９４を有する操作歯車１９６が噛合されている。すなわち、左側板１６ｂを左フレーム１４ｂに対して着脱するための着脱ネジ７８の代わりに、回転操作部１９４が設けられている。なお、回転操作部１９４は第１実施形態の着脱ネジ７８の頭部７８ａと同様に操作可能である。すなわち、回転操作部１９４は、スプール軸の第１軸部２３ａが配置される位置よりも前方かつ下部の位置で、魚釣用リール１０および釣竿８を握持したときに左手ＬＨが当たらない位置にあることが好ましい。このため、魚釣用リール１０および釣竿８を握持した状態で回転操作部１９４を左手ＬＨで操作しようとするときには、左手ＬＨの人差し指等を大きく曲げて操作したり、左手ＬＨ全体を下側にずらして親指で操作する。
【００７０】
そして、回転操作部１９４を図１７中の矢印Ｐ方向（前側）に回転させると、操作歯車１９６が回転するのに連動して回転歯車１９２が回転する。このため、第１実施形態で説明したように、連動歯車１７６が矢印Ｑ方向に移動し、内側リング磁石１２０ａが外側リング磁石１２０ｂに対して移動してスプールセット２０に対する制動力が微調整される。回転操作部１９４を図１７中の矢印Ｐ方向とは反対方向に回転させることができることはもちろんである。
【００７１】
なお、左フレーム１４ｂに対して左側板１６ｂは、種々の構造により着脱可能とすることができる。ここでは、例えば、例えば右側板１６ａから右フレーム１４ａおよび左フレーム１４ｂを貫通したネジピン（図示せず）を通して着脱される。
【００７２】
これまで、いくつかの実施の形態について図面を参照しながら具体的に説明したが、この発明は、上述した実施の形態に限定されるものではなく、その要旨を逸脱しない範囲で行なわれるすべての実施を含む。
【符号の説明】
【００７３】
１０…魚釣用リール、１２…リール本体、１４ａ…右フレーム、１４ｂ…左フレーム、１６ａ…右側板、１６ｂ…左側板、１８…リール取付脚部、１９…サムレスト、２０…スプールセット、２１…スプール、２３ａ…第１軸部、２３ｂ…第２軸部、２４ａ…左側端部、２４ｂ…右側端部、２６…ボール軸受、２７ａ，２７ｂ…ボール軸受、２８ａ…左側端部、２８ｂ…右側端部、２９…円筒部、３０…ハンドル、３８…ピニオンギヤ、５１…導電部、５４…セットスクリュウ、５５…筒状部、５５ａ…雄ネジ、５５ｂ…リーフスプリング、５５ｃ…スプリングオサエ、５５ｄ…キー溝、５６…ロッド、５６ａ…Ｔ字状端部、５７…回転ツマミ、５７ａ…雌ネジ、５７ｂ…凹凸部、６２…平面部、６４…下側フランジ部、６６…円形開口部、７２…外面部、７２ａ…表面部、７２ｂ…裏面部、７３…操作開口部、９０…制動装置、９２…支持部材、９４…ボール軸受、９６…制動機構、９６ａ…制動部、９６ｂ…制動力調整部、１０２…支持部材本体、１０４…係合部、１０６…中央開口部、１０８…延出部、１１２…セットプレート、１１４…調整部、１２０ａ…内側リング磁石、１２０ｂ…外側リング磁石、１２２…環状間隙、１２４…支持台部、１２６…環状溝、１２８…環状溝、１３２…環状部、１３４…周面部、１３６ａ，１３６ｂ…フランジ部、１３８ａ，１３８ｂ…内側突状部、１４０ａ，１４０ｂ…保持部、１４２…係合溝、１４４…軸方向溝、１５０ａ…突出部、１５０…操作突起、１７２…調整部、１７４…延出部、１７６…連動歯車、１８２…螺合固定部、１８４…回動操作部。
【図１】
2011072266.tif 000003
【図２】
2011072266.tif 000004
【図３】
2011072266.tif 000005
【図４】
2011072266.tif 000006
【図５】
2011072266.tif 000007
【図６】
2011072266.tif 000008
【図７】
2011072266.tif 000009
【図８】
2011072266.tif 000010
【図９】
2011072266.tif 000011
【図１０】
2011072266.tif 000012
【図１１】
2011072266.tif 000013
【図１２】
2011072266.tif 000014
【図１３】
2011072266.tif 000015
【図１４】
2011072266.tif 000016
【図１５】
2011072266.tif 000017
【図１６】
2011072266.tif 000018
【図１７】
2011072266.tif 000019